(57)【要約】　　　（修正有）【課題】物干し竿に挿入して使用するハンガー掛けの耐衝撃性、耐候性、吊り下げ強度を改善する。【解決手段】物干し竿挿入部ｃと係止部ｂを有する垂下部ａとから構成され、係止部の補強のために母材である軟質熱可塑性樹脂に長繊維であれば１０００デニール以上、短繊維で有れば３０番手以下のものを係止部と端部の間に少なくとも６本以上配したことにより、従来品の数倍の吊り下げ強度を得ることができ、さらに軟質であるため従来の類似商品とは異なり衝撃による破壊を防止出来る。【選択図】　　　　図２
0003096912.tif 000002
【実用新案登録請求の範囲】
【請求項１】
物干し竿に挿入される筒状の竿挿入部と、この竿挿入部から下方に垂れ下がる垂下部からなるハンガー掛けで、垂下部には長手方向に複数の穴を設け係止部とする。このハンガーを掛ける係止部において垂下部の長手方向に２５０デニール以上の長繊維、または３０番手以下の短繊維を複数本係止部の下部に設けたことを特徴とするハンガー掛け。
【請求項２】
前記ハンガー掛けで筒状の竿挿入部と垂下部を一体に成形し、その長手方向、幅方向に請求項１の繊維を１ｃｍの間に６本から１０本配列し、その両面を樹脂またはゴムからなるコーティング材で塗布するか、フィルムで挟み繊維を固定することを特徴とした請求項１のハンガー掛け。
【考案の詳細な説明】
【０００１】
【考案の属する技術分野】
本考案は、洗濯物等を吊す物干し竿を挿入して使用するハンガー掛けに関する。
【０００２】
【従来の技術】
洗濯物を乾かしたり、天日干しをしたりする時、直接物干し竿にハンガーを掛けることもあるが、風によりハンガーが吹き寄せられて乾燥しにくくなったり、強風時にははずれてとばされることもある。
物干し竿の長さを有効に利用するのに同様のハンガー掛けは市販されているが、市販されているハンガー掛けは大半がポリプロピレン等の硬質の射出成型品であり、そのため吊り下げ時の強度が弱く、また衝撃を受けたとき破損することが多い。
【０００３】
【考案が解決しようとする課題】
物干し竿の長さを有効に利用するには、長さ方向に固定されたハンガーを掛ける装置があれば強風下でも片寄ったりせずに乾燥が早まる。
従来市販されているポリプロピレン製のハンガー掛けは吊り下げ重量が小さく、繰り返し引張り加重に弱い。そのため使用者が誤ってハンガーを強く引っ張ったりした場合破損することがある。
【０００４】
特に乾燥中に天候が変わり、急に雨などが降り出したときなどあわてて取り込もうとしてハンガーを強く引っ張る場合があり、吊り下げ強度の弱いハンガーは破損する恐れがある。本考案の目的とするハンガー掛けは、そのような場合でも破損しにくいものを提供する。
【０００５】
【課題を解決するための手段】
上記の目的を達成するために、この考案に係るハンガー掛けは、図３に見られるように係止部を有する垂下部の長手方向に吊り下げ強度を向上させる繊維を配置する。糸数が増えると強度が増すことは表３に記載した。
【０００６】
強度を確保するためには配置した繊維を動かないように固定する必要があり、固定する方法として液状のコーティング材を繊維の片面あるいは両面に塗布し乾燥する方法がある。その場合のコーティング材としてアクリル樹脂、塩化ビニル樹脂、ポリウレタン樹脂、ゴムなどがあるが、乾燥したことによって繊維を固定出来るのであればこれらの樹脂に特定されるものではない。
【０００７】
また、フィルム状のものを繊維の片面及び両面に熱を加えて貼り付ける方法でも可能であり、その時に繊維とフィルムの固着を強固にするため上下面のフィルムを熱溶融して一体化してもいいし、接着剤を使用して固着することも問題ない。
【０００８】
【考案の実施の形態】
本考案は物干し竿挿入部ｃを有する円筒部と一体となった垂下部ａからなり、ａにはハンガーを掛けるための係止部としての穴が長手方向に複数個設けられている。
【０００９】
【作用】
本考案の作用を説明すれば、使用に際しては物干し竿挿入部ｃに物干し竿を通し、垂下部ａに設置された係止部ｂにハンガーを掛けて使用するものである。この時係止部ｂは適度な間隔を持って設置され、ハンガーに掛けた衣類間の風通しを良くし、洗濯物の乾燥を効率よく行う機能を持つ。
【００１０】
素材についてはフィルム状に加工可能で、フィルムの間に長繊維または短繊維を接着や熱溶着で固定できる物で有れば特に材質は問わない。すなわちゴムや塩化ビニル、ウレタン、ポリエチレン等であるが、特に環境面への配慮やコストの問題、加工性、耐久性等を勘案すればＥＶＡ（エチレン酢酸ビニル共重合体）の使用が望ましいが、特に限定されるものではない。
【００１１】
【実施例】
本考案を図１、図２、図３、図４を参照して説明する。図１は完成したハンガー掛けの１実施例の外観図であり、図２はその断面である。
図２のｄは繊維のサンドイッチされた状態を示している。図４は図１へ成形する前の展開図であり、ａの垂下部をウェルダー溶着する前の状態を示している。図３の点線部はフィルム内にセットされた繊維を示しており、縦横両方向に配置されている。ａの垂下部にあたる部分をこの場合はウェルダー溶着しているが、これが熱溶着、接着剤による接着でもいっこうに差し支えない。
【００１２】
ここで成形されたものは係止部となる穴より端部の間に１０００デニールの長繊維が１０本配置されており、これによって成型されたものと同等品と思われる他製品を比較例１、比較例２、比較例３として係止部の吊り下げ強度を比較したものが表１であり、本考案品が突出した吊り下げ強度を有しているのがわかる。これはフィルムの素材もさることながら、配置されている繊維の選定が大きく作用しており、それについては表２、表３に示している。
【００１３】
通常の洗濯物を吊り下げるのであれぱ長繊維で２５０デニール以上、短繊維であれば３０番手以下のものの使用が望ましい。係止部と端部の間に配置される糸数は表３に見られるように６本以上が望ましい。
【００１４】
【考案の効果】
以上説明のように、本考案のハンガー掛けは係止部周囲が繊維で補強された構造となっているため、洗濯後の水分を含んだ重量の大きなものでも吊り下げ可能であり、しかも柔軟性を有するため、衝撃により破壊される危険も少なく省スペースで収納できる考案である。
【図面の簡単な説明】
【図１】本考案の外観図である。
【図２】本考案の断面図である
【図３】本考案の横平面図である
【図４】本考案の展開図である
【符号の説明】
ａ　　垂下部
ｂ　　係止部
ｃ　　物干し竿挿入部
ｄ　　繊維
【図１】
0003096912.tif 000003
【図２】
0003096912.tif 000004
【図３】
0003096912.tif 000005
【図４】
0003096912.tif 000006
【手続補正書】
【提出日】平成15年5月14日(2003.5.14)
【手続補正１】
【補正対象書類名】明細書
【補正対象項目名】実用新案登録請求の範囲
【補正方法】変更
【補正の内容】
【実用新案登録請求の範囲】
【請求項１】
物干し竿に挿入される筒状の竿挿入部と、この竿挿入部から下方に垂れ下がる垂下部からなるハンガー掛けであって、垂下部には長手方向に複数の穴を設け係止部とするとともに、このハンガーを掛ける係止部において垂下部の長手方向に２５０デニール以上の長繊維、または３０番手以下の短繊維を複数本係止部の下部に設けたことを特長とするハンガー掛け。